(57)【要約】【課題】躓きにくくバリアフリー化を図ることができ、さらに、腰を屈めて行う面倒なフックの掛け、外しの作業を簡略化できるようにした戸当たりを提供すること。【解決手段】戸当たり本体２に、ストッパ片３に係合する戸当たり片５を上下動可能に配設するとともに、揺動することにより戸当たり片５を操作する操作片６を配設し、この操作片６に、弾性変形可能な舌状片６１と、舌状片６１に形成され、戸当たり片５を操作した位置で戸当たり本体２の一部に係合する係止部６２とを設ける。【選択図】  図２
2004263377.tif 000002
【特許請求の範囲】
【請求項１】
扉側に固定し、マグネットを配設した戸当たり本体と、床面に固定し、ストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、前記戸当たり本体に、ストッパ片に係止する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けたことを特徴とする戸当たり。
【発明の詳細な説明】
【０００１】
【発明の属する技術分野】
本発明は、戸当たりに関し、特に、床面のバリアフリー化を図るため床面からの突出高さを可及的に低くし、かつ、フック掛けなどの面倒な操作をなくして確実に定位置で扉を停止させ、開扉状態を保持することができる戸当たりに関するものである。
【０００２】
【従来の技術】
従来の戸当たりは、扉に当接する側にゴムなどの緩衝体を配設し、かつ、床面に突出するように取り付ける戸当たり本体と、扉側に取り付けた係止具とよりなり、開扉時戸当たり本体に扉を当接するようにし、戸当たり本体に備えたフックを係止具に引っ掛けて係止できるように構成している。
これにより、扉の許容範囲以上に開かないようにするとともに、戸当たり本体に配設したフック或いは止め金具を、扉側の係止片に引っ掛けることにより、定位置で解放状態を保持するようにしている。
【０００３】
【発明が解決しようとする課題】
ところで、上記従来の戸当たりにおいては、床面より上方に、少なくとも扉の下端部側面と接触するよう突出させて戸当たり本体を取り付けているため、床面に突起物が高く突出するものとなり、閉扉時にこれが通行の妨げとなったり、場合によっては、歩行時に躓いたりするという問題があった。
また、開戸状態を保つためには、腰を屈めて扉側に取り付けたフックを戸当たりに引掛け、また、扉を閉じる場合にもこのフックを外す作業を要し、特に高齢者にとってはフックの掛け外し時に腰を屈めての操作が困難になるという問題があった。
【０００４】
本発明は、上記従来の戸当たりの有する問題点に鑑み、躓きにくくバリアフリー化を図ることができ、さらに、腰を屈めて行う面倒なフックの掛け、外しの作業を簡略化できるようにした戸当たりを提供することを目的とする。
【０００５】
【課題を解決するための手段】
上記目的を達成するため、本発明の戸当たりは、扉側に固定し、マグネットを配設した戸当たり本体と、床面に固定し、ストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、前記戸当たり本体に、ストッパ片に係合する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けたことを特徴とする。
【０００６】
この戸当たりは、マグネットを配設した扉側の戸当たり本体と、ストッパ片を床面から出没するように揺動可能に配設した床面側の係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、前記戸当たり本体に、ストッパ片に係合する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けることから、開扉時以外は係止具本体のストッパ片は床面より突出せず、躓き等を未然に防止するとともに、開扉時扉が係止具本体位置にきたときに、マグネットの励磁吸着作用によりストッパ片を床面より突出させて戸当たり本体側に当接させ、それ以上の開扉を阻止することができる。
そして、戸当たり本体に、ストッパ片に係合する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けることから、風等による強い力が扉に作用しても、扉が閉じるのを防止し扉の開放状態を維持するとともに、スプリング等を使用することなく戸当たり片の操作片を構成し、これにより、部品点数や組立工数を減じて、コスト的に有利な戸当たりを製造することができる。
【０００７】
【発明の実施の形態】
以下、本発明の戸当たりの実施の形態を図面に基づいて説明する。
【０００８】
図１〜図３に、本発明の戸当たりの第１実施例を示す。
この戸当たりは、図１に示すように、マグネット１を配設した扉側の戸当たり本体２と、ストッパ片３を床面Ｆから出没するように揺動可能に配設した床面Ｆ側の係止具本体４とを備え、開扉時に戸当たり本体２が係止具本体４の上にきたときに、マグネット１の吸着作用によりストッパ片３を床面Ｆより突出させて戸当たり本体２に当接させ、それ以上の開扉を阻止するように構成されている。
そして、この戸当たりは、図２に示すように、前記戸当たり本体２に、ストッパ片３に係合する戸当たり片５を上下動可能に配設するとともに、揺動することにより戸当たり片５を操作する操作片６を配設し、該操作片６に、弾性変形可能な舌状片６１と、該舌状片６１に形成され、戸当たり片５を操作した位置で戸当たり本体２の一部に係合する係止部６２とを設けている。
【０００９】
戸当たり本体２は箱状のものからなり、縦リブ２１により戸当たり片５を上下動可能に支持するとともに、上壁２２と横リブ２３により、戸当たり片５の昇降位置を規制している。
また、この戸当たり本体２は、その下部に、突出したストッパ片３が嵌合する嵌合凹部２４を備えるとともに、該嵌合凹部２４の上にマグネット１を固定している。
そして、この戸当たり本体２は、その側壁で操作片６を枢支する窓部２５を備えるとともに、窓部２５の内側部分に、操作片６の舌状片６１の係止部６２が係合する係止用リブ２６を備えている。
【００１０】
一方、係止具本体４は、図１又は図３に示すように、床面Ｆにフラットに取り付けられるように形成した係止具本体ベース４１と、該係止具本体ベース４１に枢支され、戸当たり本体２のマグネット１の励磁作用により吸着され先端部が突出するように揺動するストッパ片３と、ストッパ片３の上方を除いて係止具本体ベース４１の表面を覆うカバー４２とにより構成されている。
【００１１】
ストッパ片３には、図３に示すように、先端側に戸当たり片５が係合する幅広部３１が形成されるとともに、幅広部３１の基部側に、戸当たり片５の偏倚を吸収するための幅狭部３２が形成され、基端部を軸３３により揺動可能になるように支持するようにしている。
【００１２】
戸当たり片５は、図２に示すように、コ字状に形成された非磁性体からなり、その昇降により先端部がストッパ片３に係脱可能に係合する。
この戸当たり片５の操作片６側には、該操作片６の脚部の先端が嵌合する溝部５１が形成されている。
【００１３】
操作片６は、図２に示すように、例えば、ナイロン等の合成樹脂により一体成形した断面Ｔ字状のものからなり、戸当たり本体２に枢支される軸部６３の上下にＴ字の頭部６４を形成するとともに、戸当たり片５側にＴ字の脚部６５を形成し、戸当たり片５の溝部５１に該脚部６５の先端を嵌合させている。
操作片６の頭部６４の上下には、１対の舌状片６１がそれぞれ円弧をなして一体に形成されており、該舌状片６１の上下面には、戸当たり本体２の係止用リブ２６と係合することにより、操作片６を定位置に固定する係止部６２が設けられている。
なお、係止部６２は、この例では、突起によって形成されているが、切欠のような凹部によって形成することもできる。
【００１４】
次に、図１を参照して、この戸当たりの動作について説明する。
床面Ｆの所定位置にはストッパ片３を組み込んだ係止具本体４を、扉Ｄ側には戸当たり片５を組み込んだ戸当たり本体２をそれぞれビス止め等にて固定する。
なお、本実施例においては、戸当たり本体２を扉Ｄに埋め込むように配設するようにしているが、戸当たり本体２を扉Ｄに外付けすることを排除するものでない。
この状態で扉Ｄを開けたときに、係止具本体４に組み込んだストッパ片３が戸当たり片５と確実に当接するように、係止具本体４の向きを調整して床面に固定する。
【００１５】
扉Ｄを開くときに、戸当たり片５が係止具本体４の上方位置に到達すると、戸当たり片５のマグネット１によりストッパ片３が励磁され、上方へストッパ片３の先端側が突出するように揺動し、マグネット片に吸着される。
そして、さらに扉Ｄが開くと、ストッパ片３を吸着しながら戸当たり片５が移動し、ストッパ片３の先端が戸当たり片５の嵌合凹部２４の端部に当接し、これにより扉Ｄは停止する。
このとき、図１（ｂ）に示すように、ストッパ片３は戸当たり本体２のマグネット１に吸着された状態で保持される。
なお、この状態では、扉の開き方向へは停止されるが、この扉の保持力は比較的弱いもので、扉を閉じる方向に操作することにより、マグネット１による吸着力が解除され、扉は閉じることができる。
【００１６】
次に、開扉状態を保持する場合について説明する。
この場合は、足先や手指等により、操作片６を脚部６５が下がるように操作することにより、戸当たり片５が上昇位置から下降し、ストッパ片３の幅狭部３２に嵌合係止され、ロックが掛かった状態となる。
また、反対にこの戸当たり片５のロック状態を解除するには、操作片６を脚部６５が上がるように操作するようにすれば、戸当たり片５が上方向へ揺動し、ストッパ片３との係合が解除され、扉は自由に閉じるようになる。
【００１７】
次に、図１及び図４を参照して、本発明の戸当たりの第２実施例を説明する。
この戸当たりは、マグネット１を配設した扉側の戸当たり本体２と、ストッパ片３を床面Ｆから出没するように揺動可能に配設した床面Ｆ側の係止具本体４とを備え、開扉時に戸当たり本体２が係止具本体４の上にきたときに、マグネット１の吸着作用によりストッパ片３を床面Ｆより突出させて戸当たり本体２に当接させ、それ以上の開扉を阻止するように構成されている。
そして、この戸当たりは、前記戸当たり本体２に、ストッパ片３に係合する戸当たり片５を上下動可能に配設するとともに、揺動することにより戸当たり片５を操作する操作片７を配設し、該操作片７に、弾性変形可能な舌状片７１と、該舌状片７１に形成され、戸当たり片５を操作した位置で戸当たり本体２の一部に係合する係止部７２とを設けている。
【００１８】
戸当たり本体２は箱状のものからなり、側壁と縦リブ２１により戸当たり片５を上下動可能に支持するとともに、横リブ２３と操作片７の一部により、戸当たり片５の昇降位置を規制している。
また、この戸当たり本体２は、その下部に、突出したストッパ片３が嵌合する嵌合凹部２４を備えるとともに、該嵌合凹部２４の上にマグネット１を固定している。
そして、この戸当たり本体２は、その側壁で操作片７の一部を突出させる窓部２５を備えるとともに、窓部２５の内側部分に、操作片７の舌状片７１の係止部７２が係合する係止用リブ２６を備えている。
【００１９】
操作片７は、例えば、ナイロン等の合成樹脂により一体成形した断面Ｔ字状のスイッチ部７３と、該スイッチ部７３に先端が嵌合する操作バー７４とを備えている。
操作バー７４は、基端側が戸当たり本体２に枢支されるとともに、中間部が戸当たり片５の一部を貫通し、スイッチ部７３の上下動による操作バー７４の揺動により、戸当たり片５を上下の位置に操作することができるようにし、さらに、先端が操作片７に当接して、操作片７を戸当たり本体２の係止用リブ２６と係合する側に付勢するようにしている。
スイッチ部７３は、戸当たり本体２の側壁の内側に沿うように延設された上下１対の舌状片７１を備え、該舌状片７１の外面には、戸当たり本体２の係止用リブ２６と係合することにより、操作片７を定位置に固定する係止部７２が設けられている。
また、このスイッチ部７３は、操作バー７４によって、戸当たり本体２の側壁の内側に沿うように位置決めされている。
なお、係止部７２は、この例では、突起によって形成されているが、切欠のような凹部によって形成することもできる。
【００２０】
なお、ストッパ片や係止具本体の構成は、第１実施例と同じであるため、その説明は省略する。
【００２１】
かくして、本発明の各実施例の戸当たりは、マグネット１を配設した扉Ｄ側の戸当たり本体２と、ストッパ片３を床面Ｆから出没するように揺動可能に配設した床面側の係止具本体４とを備え、開扉時に扉Ｄが設定された位置にきたときに、マグネット１の吸着作用によりストッパ片３を床面Ｆより突出させて戸当たり本体２側に当接させ、それ以上の開扉を阻止するようにした戸当たりにおいて、前記戸当たり本体２に、ストッパ片３に係合する戸当たり片５を上下動可能に配設するとともに、揺動又は摺動することにより戸当たり片５を操作する操作片６を配設し、該操作片６に、弾性変形可能な舌状片６１と、該舌状片６１に形成され戸当たり片５を操作した位置で戸当たり本体２の一部に係合する係止部６２とを設けることから、開扉時以外は係止具本体４のストッパ片３は床面Ｆより突出せず、躓き等を未然に防止するとともに、扉Ｄが係止具本体４の位置にきたときに、マグネット１の励磁吸着作用によりストッパ片３を床面Ｆより突出させて戸当たり本体２側に当接させ、それ以上の開扉を阻止することができる。
そして、戸当たり本体２に、ストッパ片３に係合する戸当たり片５を上下動可能に配設するとともに、揺動又は摺動することにより戸当たり片５を操作する操作片６を配設し、該操作片６に、弾性変形可能な舌状片６１と、該舌状片６１に形成され戸当たり片５を操作した位置で戸当たり本体２の一部に係合する係止部６２とを設けることから、風等による強い力が扉Ｄに作用しても、扉Ｄが閉じるのを防止しその開放状態を維持するとともに、スプリング等を使用することなく戸当たり片５の操作片６を構成し、これにより、部品点数や組立工数を減じて、コスト的に有利な戸当たりを製造することができる。
【００２２】
以上、本発明の実施例を説明したが、本発明の戸当たりは、この実施例の記載に限定されるものではなく、その趣旨を逸脱しない範囲において適宜に変更することが可能である。
【００２３】
【発明の効果】
本発明の戸当たりによれば、マグネットを配設した扉側の戸当たり本体と、ストッパ片を床面から出没するように揺動可能に配設した床面側の係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、前記戸当たり本体に、ストッパ片に係合する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けることから、開扉時以外は係止具本体のストッパ片は床面より突出せず、躓き等を未然に防止するとともに、開扉時扉が係止具本体位置にきたときに、マグネットの励磁吸着作用によりストッパ片を床面より突出させて戸当たり本体側に当接させ、それ以上の開扉を阻止することができる。
そして、戸当たり本体に、ストッパ片に係合する戸当たり片を上下動可能に配設するとともに、揺動又は摺動することにより戸当たり片を操作する操作片を配設し、該操作片に、弾性変形可能な舌状片と、該舌状片に形成され戸当たり片を操作した位置で戸当たり本体の一部に係合する係止部とを設けることから、風等による強い力が扉に作用しても、扉が閉じるのを防止し扉の開放状態を維持するとともに、スプリング等を使用することなく戸当たり片の操作片を構成し、これにより、部品点数や組立工数を減じて、コスト的に有利な戸当たりを製造することができる。
【図面の簡単な説明】
【図１】本発明の戸当たりの一実施例を示し、（ａ）はストッパ片が突出する前の状態を示す断面図、（ｂ）はストッパ片が突出した状態を示す断面図である。
【図２】戸当たり本体を示し、（ａ）は左側面図、（ｂ）は断面正面図、（ｃ）底面図、（ｄ）戸当たり片と操作片を省略した断面正面図、（ｅ）は操作片の正面図である。
【図３】ストッパ片を示し、（ａ）平面図、（ｂ）は正面図、（ｃ）は（ｂ）のＣ部拡大図である。
【図４】本発明の戸当たりの第２実施例を示し、（ａ）は戸当たり本体の左側面図、（ｂ）は断面正面図、（ｃ）は底面図、（ｄ）は右側面図である。
【符号の説明】
１    マグネット
２    戸当たり本体
２１  縦リブ
２２  上壁
２３  横リブ
２４  嵌合凹部
２５  窓部
２６  係止用リブ
３    ストッパ片
３１  幅広部
３２  幅狭部
４    係止具本体
４１  係止具本体ベース
４２  カバー
５    戸当たり片
５１  溝部
６    操作片
６１  舌状片
６２  係止部
６３  軸部
６４  頭部
６５  脚部
７    操作片
７１  舌状片
７２  係止部
７３  スイッチ部
７４  操作バー
【図１】
2004263377.tif 000003
【図２】
2004263377.tif 000004
【図３】
2004263377.tif 000005
【図４】
2004263377.tif 000006